(57)【特許請求の範囲】
【請求項１】
棚本体の左右の側板間に架設される棚板を、背板と、その下端から前方へ延出させた底面部、及びその前端に形成された凹状段部とからなる底板とより構成した側面視ほぼＬ字状のものとし、後縁が前記背板に、下縁が前記底板に接するように形成した仕切板を、棚板上に間隔をあけて立設し、かつ前記底板の凹条段部の下部に、前下方が開口する吊棚状収納部を設けたことを特徴とする薬剤パックの収納棚。
【請求項２】
仕切板の後縁に係止用フックを、同じく下縁に挿入片を突設し、これらを、棚板の背板と底板に穿設したスリットに挿入して係止することにより、仕切板を棚板上に立設したことを特徴とする請求項１記載の薬剤パックの収納棚。
【請求項３】
底板の前端に表示板保持部を設けたことを特徴とする請求項１または２記載の薬剤パックの収納棚。
【請求項４】
底板の凹状段部の前底部を、前方に漸次立上る斜面または曲面とするとともに、凹状段部の下方に、ほぼ水平な受板を、その前縁と表示板保持部の下縁との間が開口するように設け、凹状段部の前底部と表示板保持部と受板の３者で囲まれる空間を、吊棚状収納部としたことを特徴とする請求項３記載の薬剤パックの収納棚。
【請求項５】
凹状段部と表示板保持部と受板とを成形した合成樹脂製前部部材を、背板と底面部とからなる棚板本体の底面部の前端に結合することにより棚板を形成したことを特徴とする請求項４記載の薬剤パックの収納棚。
【請求項６】
平面視コ字形状に屈曲形成したスペーサーを、仕切板間の底面部上に載置することにより、薬剤パック後端の当り面、または薬剤パックの上位置き面を形成したことを特徴とする請求項１〜５のいずれかに記載の薬剤パックの収納棚。
【発明の詳細な説明】
【０００１】
【発明の属する技術分野】
本発明は、病院や薬局等の調剤室内における薬剤パックの収納棚に関する。
【０００２】
【従来の技術】
一般に、薬剤パックの収納棚は、図９(ａ)、図１０(ａ)に示すように、本体什器(01)の左右の側板(02)、(02)間に、予め架設された棚板(03)上に、図９(ａ)に示す本体什器(01)では、図９(ｂ)に示す収納トレー(04)の多数個を隣接して載置し、図１０(ａ)に示す本体什器(01)では、左右の側板(02)、(02)と平行な仕切板(05)で、棚板(03)を左右方向に複数の区画室に仕切った後に、各区画室に図１０(ｂ)に示す収納トレー(04)を載置して、それぞれ構成されている。
【０００３】
したがって、上記のいずれの場合にも、多数の収納トレー(04)を必要とし、コスト高になるばかりでなく、個々の収納トレー(04)によって形成される各区画室の左右の側板（図９に示すものでは、各収納トレー(04)の左右の側壁(04a)、図１０に示すものでは、各区画室の左右の仕切板(05)）の位置が定まっており、たとえば、各収納区画室の収納容積を、各種薬剤パックの使用量に応じて適当なものとすることができなかった。また、薬剤パックの説明書などの保管場所がないため、管理上不便であるという問題もある。
【０００４】
なお、図９(ｂ)に示す収納トレー(04)の前端に形成された凹状段部(06)や、図１０(ｂ)に示す収納トレー(04)の前端下部に形成された前端収納部(07)は、１個の薬剤パックの中から、一部の薬剤を取り出した後の半端な薬剤パック、あるいは次回に取り出す予定の薬剤パックを収納する場所であり、薬剤パックの説明書などの保管場所としては、使用できない。
【０００５】
【発明が解決しようとする課題】
本発明は、前記の現状に鑑み、各種薬剤パックの使用量に応じて、各収納区画室の収納容積を容易に変更できるとともに、組立てが容易で、かつコスト上も有利であり、さらに必要に応じて、薬剤の説明書などの保管場所も確保できる、薬剤パックの収納棚を提供することを目的とする。
【０００６】
【課題を解決するための手段】
本発明によると、上記課題は、次のようにして解決される。
(１) 棚本体の左右の側板間に架設される棚板を、背板と、その下端から前方へ延出させた底面部、及びその前端に形成された凹状段部とからなる底板とより構成した側面視ほぼＬ字状のものとし、後縁が前記背板に、下縁が前記底板に接するように形成した仕切板を、棚板上に間隔をあけて立設し、かつ前記底板の凹条段部の下部に、前下方が開口する吊棚状収納部を設ける。
【０００７】
(２) 上記(１)項において、仕切板の後縁に係止用フックを、同じく下縁に挿入片を突設し、これらを、棚板の背板と底板に穿設したスリットに挿入して係止することにより、仕切板を棚板上に立設する。
【０００８】
(３) 上記(１)項または(２)項において、底板の前端に表示板保持部を設ける。
【０００９】
(４) 上記(３)項において、底板の凹状段部の前底部を、前方に漸次立上る斜面または曲面とするとともに、凹状段部の下方に、ほぼ水平な受板を、その前縁と表示板保持部の下縁との間が開口するように設け、凹状段部の前底部と表示板保持部と受板の３者で囲まれる空間を、吊棚状収納部とする。
【００１０】
(５) 上記(４)項において、凹状段部と表示板保持部と受板とを成形した合成樹脂製前部部材を、背板と底面部とからなる棚板本体の底面部の前端に結合することにより棚板を形成する。
【００１１】
(６) 上記(１)〜(５)項のいずれかにおいて、平面視コ字形状に屈曲形成したスペーサーを、仕切板間の底面部上に載置することにより、薬剤パック後端の当り面、または薬剤パックの上位置き面を形成する。
【００１２】
【発明の実施の形態】
図１は、本発明の収納棚を備えた本件什器(１)の上方斜視図、図２は、図１に示す収納棚を構成する棚板(２)と仕切板(３)の上方斜視図、図３は、図２におけるIII−III線縦断面図である。
【００１３】
本発明は、前記した従来の薬剤パックの収納棚のように、棚板(03)と収納トレー(04)とを別体とし、棚板(03)の上に収納トレー(04)を載置して収納棚を構成するものではなく、棚板(２)自体を利用して、これに仕切板(３)を併せ用いて、収納棚を構成するものである。
【００１４】
棚板(２)は、底板(４)と背板(５)とよりなり、側面視がほぼＬ字状である。
【００１５】
底板(４)は、背板(５)の下端から前方へ延出した底面部(4a)と、その前端に形成された凹状段部(4b)とよりなる。
【００１６】
また、凹状段部(4b)は、１個の薬剤パックの中から、一部の薬剤を取り出した後の半端な薬剤パック、あるいは次回に取り出す予定の薬剤パックを収納する場所である。
【００１７】
棚板(２)は、仕切板(３)によって、左右方向に複数の区画室に仕切られる。すなわち、後縁が背板(５)に、下縁が底板(４)の傾斜面(4a)と凹状段部(4b)の両者に接するように形成した仕切板(３)を、棚板(２)上に所定間隔で立設する。
【００１８】
棚板(２)の背板(５)と底板の底面部(4a)にスリット(5a)、(4c)を穿設するとともに、仕切板(３)の後縁に係止用フック(3a)を、下縁に挿入片(3b)をそれぞれ突設し、これらを前記スリットに係止・挿入することにより、仕切板(３)を棚板(２)上に立設する。
【００１９】
底板(４)と背板(５)の前記スリット(4c)、(5a)は、棚板(２)の左右方向に、多数個が近接して連続的に設けられている。
このため、各種薬剤パックの使用量に応じて、仕切板(３)の係止用フック(3a)と挿入片(3b)とを適所の前記スリット(4c)、(5a)に係止・挿入することにより、容易に所望の収納容積を有する収納区画室を形成することができる。
【００２０】
凹状段部(4b)の前底部は、前方に漸次立上る曲面とし、その前端には、収納した薬剤パックの種類などを記載した表示板を保持させるための表示板保持部(６)を形成してある。
【００２１】
凹状段部(4b)の下方には、ほぼ水平な受板(７)を、その前縁と表示板保持部(６)の下縁との間が開口するように設け、凹状段部(4b)の前底部と表示板保持部(６)と受板(７)との３者で囲まれる空間を、吊棚状収納部(８)としてある。
【００２２】
この吊棚状収納部(８)は、薬剤の説明書などの保管場所として利用することができる。
【００２３】
図２に示す実施形態では、凹状段部(4b)の前底部を前方に漸次立上る曲面に形成してあるが、これに代えて、前方に漸次立上る平面状の斜面に形成してもよい。
このように凹状段部(4b)の前底部を、曲面または斜面に形成することによって、前記の吊棚状収納部(８)を容易に形成することができるとともに、薬剤パックの取り出しも容易になる。
【００２４】
図４、図５は、夫々図２、図３に相当する図面であり、底面部(4a)を、背板(５)の下端から前方へ漸次やや上方に向かって傾斜する傾斜面としてある。
【００２５】
このような傾斜面とすれば、薬剤パックが前方に偏在して落ちこぼれることを防止できるとともに、薬剤パックを奥部から、順次収納し易くなる。
【００２６】
凹状段部(4b)と表示板保持部(６)と受板(７)の３者は、底面部(4a)及び背板(５)とともに、棚板(２)の全体を一体的に成形してもよい。
しかし、一般には、成形を容易にするために、凹状段部(4b)と表示板保持部(６)と受板(７)との３者からなる前部部材(９)を、底面部(4a)と背板(５)の２者からなる棚板本体(10)とは、別途に合成樹脂で成形し、金属または合成樹脂で成形した前記の棚板本体(10)の前端に結合することにより、棚板(２)を構成する方法が推奨される。
【００２７】
このようにすることにより、成形が容易であるばかりでなく、たとえば棚板本体(10)を金属で成形し、充分な強度を確保するとともに、前部部材(９)を透明な合成樹脂で成形して、これらを結合して棚板(２)を構成することにより、棚板(２)が本件什器(１)の高い位置にある場合にも、収納された薬剤パックの下方からの視認を容易にすることができる。
【００２８】
棚板(２)の前部部材(９)と棚板本体(10)との結合は、図５に示すように、前部部材(９)の凹状段部(4b)と、受板(７)の両者の後端同士が連結された側面視が横転Ｕ字状となるような形状とし、かつ凹状段部(4b)の底面後部に、この底面と平行な後向きの舌片(11)を設けて、この舌片(11)と底面間に、後向きに開口する係合溝(12)を形成するとともに、棚板本体(10)の前端に係止片(13)を設けて、この係止片(13)を、前記の係合溝(12)に嵌挿して係止することにより結合すればよい。
【００２９】
また、本発明の棚板(２)は、図６に示す上方斜視図のように、平面視コ字形状に屈曲形成したスペーサー(14)を、仕切板(３)、(３)間の底面部(4a)上に載置して、薬剤パック後端の当り面を形成して使用することもできる。
【００３０】
同じく、図７に示す上方斜視図のように、前記スペーサー(14)の開口部を下向きにして、仕切板(３)、(３)間の傾斜面(4a)上に載置し、薬剤パックの上位置き面を形成して使用することもできる。
【００３１】
図８は、本発明の棚板(２)の他の実施形態を示す上方斜視図である。
【００３２】
底面部(4a)と背板(５)からなる棚板本体(10)の部材と、凹状段部(4b)と表示板保持部(６)と受板(７)とからなる前部部材(９)とを、それぞれ別個に成形することなく、これら両部材からなる棚板(２)の全体を、一体的に、金属または合成樹脂で成形したものである。
本発明の収納棚は、以上説明した棚板(２)を、棚本体の左右の側板間に架設して、前記の仕切板(３)で仕切ることにより得られる。
【００３３】
また、必要に応じて、前記のスペーサー(14)を使用することもできる。
【００３４】
【発明の効果】
本発明によると、次のような効果を奏することができる。
(１) 請求項１に記載の発明によれば、各種薬剤パックの使用量に応じて各収納区画室の収納容積を容易に設定し、かつ変更できる。また、吊棚状収納部を、薬剤の説明書などの保管場所として利用することができる。
更に、棚板と収納トレーの両者を必要としていた従来の収納棚に比較して、組立てが簡単であり、かつ、コスト上も有利である。
【００３５】
(２) 請求項２に記載の発明によれば、仕切板を棚板上に、簡単迅速に立設することができるとともに、適所のスリットを選択して立設することにより、所望の収納容積を有する収納区画室が得られる。
【００３６】
(３) 請求項３に記載の発明によれば、各収納区画室に収納した薬剤パックの種類等を識別するのに、有用である。
【００３７】
(４) 請求項４に記載の発明によれば、凹状段部と表示板保持部とを利用して、受板を付設するだけで吊棚状収納部を形成することができ、かつ、棚板の底板上に収納部を形成した場合は薬剤パックの収納空間が低減するが、前記の形態の吊棚状収納部は底板下部の空間を利用しているために、薬剤パックの収納空間の低減がみられない。
【００３８】
(５) 請求項５に記載の発明によれば、棚板の成形が容易であるばかりでなく、たとえば、棚板本体を金属で成形して強度を確保するとともに、棚板の前部部材を合成樹脂で成形することにより、軽量化やコスト低減を図ることができる。
【００３９】
(６) 請求項６に記載の発明によれば、スペーサーの利用により、薬剤パック後端の当り面や薬剤パックの上位置き面を、必要に応じて容易に形成することができる。
【図面の簡単な説明】
【図１】本発明の収納棚を備えた本体什器の上方斜視図である。
【図２】図１に示す収納棚を構成する棚板と仕切板の上方斜視図である。
【図３】図２におけるIII−III線縦断面図である。
【図４】本発明の他の実施形態を示す棚板と仕切板の上方斜視図である。
【図５】図４におけるＶ−Ｖ線縦断面図である。
【図６】図４に示す棚板に、スペーサーを載置して、薬剤パック後端の当り面を形成した上方斜視図である。
【図７】同じくスペーサーを載置して、薬剤パックの上位置き面を形成した上方斜視図である。
【図８】本発明における棚板の他の実施形態を示す上方斜視図である。
【図９】従来の収納トレーと、その収納トレーを格納した本体什器を示す上方斜視図である。
【図１０】同じく、従来の他の形態の収納トレーと、その収納トレーを格納した本体什器を示す上方斜視図である。
【符号の説明】
(１)本件什器
(２)棚板
(３)仕切板
(3a)フック
(3b)挿入片
(４)底板
(4a)底面部
(4b)凹状段部
(4c)スリット
(５)背板
(5a)スリット
(６)表示板保持部
(７)受板
(８)吊棚状収納部
(９)棚板の前部部材
(10)棚板本体
(11)舌片
(12)係合溝
(13)係止片
(14)スペーサー
(01)本体什器
(02)側板
(03)棚板
(04)収納トレー
(05)仕切板
(06)凹状段部
(07)前端収納部
【図１】
0004439631.tif 000002
【図２】
0004439631.tif 000003
【図３】
0004439631.tif 000004
【図４】
0004439631.tif 000005
【図５】
0004439631.tif 000006
【図６】
0004439631.tif 000007
【図７】
0004439631.tif 000008
【図８】
0004439631.tif 000009
【図９】
0004439631.tif 000010
【図１０】
0004439631.tif 000011